(57)【要約】【課題】  傾斜した基礎上に建築物の床組を安定して支持することが可能であるともに、１２°までの大きな傾斜角度の傾斜面に設置することが可能な建築物高さ調整支持金具を提供すること。【解決手段】  傾斜した基礎面に接して配置された基台部と、この基台部から垂直に立ち上がる高さ調整支持脚部と、この支持脚部の頂部に取付けられ、床部材を支持する床部材受部とを具備し、前記基台部には横長の孔が設けられ、この孔に前記高さ調整支持脚部の下部が嵌合しており、前記基礎に応じて傾斜した基台部の孔内を前記支持脚部が揺動し、垂直に立ち上がって状態で前記支持脚部の下部が基台部に固定されることを特徴とする高さ調整支持金具。【選択図】図１
2016142126.tif 000002
【特許請求の範囲】
【請求項１】
傾斜した基礎に接して配置された基台部と、この基台部から垂直に立ち上がる高さ調整支持脚部と、この支持脚部の頂部に取付けられ、床部材を支持する床部材受部とを具備し、
前記基台部には横長の孔が設けられ、この孔に前記高さ調整支持脚部の下部が嵌合しており、前記基礎に応じて傾斜した基台部の孔内を前記支持脚部が揺動し、垂直に立ち上がって状態で前記支持脚部の下部が基台部に固定されることを特徴とする高さ調整支持金具。
【請求項２】
前記基台部は、ドーム状の湾曲部と、その周辺の平板部とから構成され、湾曲部の頂部に横長の孔が設けられていることを特徴とする請求項１に記載の高さ調整支持金具。
【請求項３】
前記横長の孔は、楕円形又は長円形であることを特徴とする請求項１又は２に記載の高さ調整支持金具。
【請求項４】
前記孔の長径は、前記支持脚部が基台部に対し０〜１０°の範囲を揺動するに十分な長さを有することを特徴とする請求項１〜３のいずれかに記載の高さ調整支持金具。
【発明の詳細な説明】
【技術分野】
【０００１】  本発明は、建築物高さ調整支持金具に係り、特に、傾斜した基礎面に、建築物を所定の高さに垂直に支持する高さ調整支持金具に関するものである。
【背景技術】
【０００２】  通常、木造建築物は、コンクリート製の基礎の表面又はその上に配置された束石上に、床束と呼ばれる垂直部材を介して床が支持されている。即ち、木造建築物の一階の床組は、床の下地である根太及びそれを支える大引が、垂直に起立された床束により支持されている。近年、ステンレス、鋼のような金属からなる床束が知られている（例えば、特許文献１及び特許文献２参照）。【０００３】  木造建築物のコンクリート製の基礎は、水捌け対策として、水勾配と呼ばれる傾斜を設けることが一般的に行われている。しかし、このような傾斜した基礎の面に建築物の床組を床束を介して支持しようとする場合、床束の下面は水平であるため、低い側では、傾斜した基礎との間に隙間ができ、安定して床組を支持することができない。そのため、通常、床束の下面と傾斜した基礎との間にくさびを入れる等、行っているが、手間がかかるとともに、安定性に欠けるという問題がある。【０００４】  これに対し、床束の下部部材に、中央に円形孔を有するドーム型凸状部を設け、床束の垂直軸の下端をドーム型凸状部の円形孔に搖動可能に嵌合させることにより、基礎の傾斜面の傾斜に応じて下部部材の傾斜をある程度変えることも可能である。しかし、床組を安定して支持するためには、ドーム型凸状部の円形孔の径は、床束の垂直軸の径よりわずかに大きくすることしかできないので、下部部材は、最大でも５°程度しか傾斜させることが出来ず、それ以上の傾斜角度の傾斜面に床束を設置することが出来ないという問題がある。
【先行技術文献】
【特許文献】
【０００５】
【特許文献１】特許第３８８９３２７号公報
【特許文献２】特許第４３８５０９５号公報
【発明の概要】
【発明が解決しようとする課題】
【０００６】  本発明は、上述した問題点を解決し、傾斜した基礎上に建築物の床組を安定して支持することが可能であるともに、１２°までの大きな傾斜角度の傾斜面に設置することが可能な建築物高さ調整支持金具を提供することを目的とする。
【課題を解決するための手段】
【０００７】  上記課題を解決するため、本発明の一態様は、傾斜した基礎面に接して配置された基台部と、この基台部から垂直に立ち上がる高さ調整支持脚部と、この支持脚部の頂部に取付けられ、床部材を支持する床部材受部とを具備し、前記基台部には横長の孔が設けられ、この孔に前記高さ調整支持脚部の下部が嵌合しており、前記基礎に応じて傾斜した基台部の孔内を前記支持脚部が揺動し、垂直に立ち上がって状態で前記支持脚部の下部が基台部に固定されることを特徴とする高さ調整支持金具を提供する。【０００８】  以上のように構成される本発明の一態様に係る高さ調整支持金具において、前記基台部をドーム状の湾曲部と、その周辺の平板部とから構成し、湾曲部の頂部に横長の孔を設けることができる。
また、前記横長の孔を、楕円形又は長円形とすることができる。この場合、前記孔の長径を、前記支持脚部が基台部に対し０〜１２°の範囲を揺動するに十分な長さを有するものとすることができる。
【発明の効果】
【０００９】  本発明によると、１２°までの傾斜面に設置することが可能な建築物高さ調整支持金具が提供される。
【図面の簡単な説明】
【００１０】
【図１】本発明の一実施形態に係る高さ調整支持金具の概略を示す図。
【図２】図１に示す調整支持金具の基台部と支持脚部の相対的な角度の関係を示す断面図。
【図３】図２の上面図。
【発明を実施するための形態】
【００１１】  以下、本発明の実施形態について詳細に説明する。
図１は、本発明の一実施形態に係る高さ調整支持金具の概略を示す図である。図１において、高さ調整支持金具１は、傾斜した基礎２０に接する基台部２と、基台部２から垂直に立ち上がる高さ調整支持脚部３と、この支持脚部３の頂部に取付けられ、床部材を支持する床部材受部４とから構成される。
図２は、以上のように構成される高さ調整支持金具の基台部２と支持脚部３の相対的な角度の関係を示す断面図、図３は基台部２と支持脚部３の関係を示す上面図である。
【００１２】  図１〜図３に示す高さ調整支持金具において、基台部２は、ドーム状の湾曲部５と、その周辺の平板部６とから構成され、湾曲部５の頂部には、横長の孔７が設けられている。
高さ調整支持脚部３は、両端に雌ネジが切られたターンバックル胴部８と、その下端の雌ネジに螺合された下部ボルト部９と、上端の雌ネジに螺合された上部ボルト部１０とから構成される。なお、上下のネジは一方が右ネジ、他方が左ネジとなっており、ターンバックル胴部８を回転させることにより、下部ボルト部９及び上部ボルト部１０が締められたり緩められたりし、高さ調整支持脚部３の長さが伸縮するようになっている。
【００１３】  高さ調整支持脚部３の下部ボルト部９の下部は、横長の孔７に嵌合しており、その下端には支持脚部３が孔７から抜けないように止めツバ１１が取付けられている。また、下部ボルト部９にはナット１２が螺合しており、このナット１２を絞めることにより、基台部２と支持脚部３とを所定の角度で固定することができる。
この場合、支持脚部３の下端に取り付けられた止めツバ１１とドーム状の湾曲部５の内面の孔７の周辺部とが所定の面積（これを掛り面積と呼ぶ）で接触・係合することにより、基台部２と支持脚部３とをぐらつくことなく安定して固定することができる。図３において、網目状の部分が掛り面積を示す。
【００１４】  高さ調整支持脚部３の上部ボルト部１０の上端には、床部材受部４が固定されており、床部材受部４は、例えばＬ字型の形状を有していて、床部材の大引１３の下面及び側面を支持している。
なお、上述したように、ターンバックル胴部８を所定の方向に回転させて、下部ボルト部９及び上部ボルト部１０を緩めることにより、高さ調整支持脚部３の長さを伸ばし、床部材を所定の高さに水平に支持することができる。
【００１５】  このように構成される高さ調整支持金具を用いて、傾斜した基礎２０上に床部材を所定の高さに水平に支持するためには、垂直に立ち上がる支持脚部３に対し、基台部２が基礎２０と同一の角度で傾斜している必要がある。例えば、基礎２０の傾斜角度がα°である場合、基台部２の傾斜角度もα°であり、従って、基台部２は支持脚部３と（９０−α）°の角度をなす必要がある。即ち、支持脚部３は基台部２に対し垂直ではなく、垂直からα°だけ傾斜している必要がある。
【００１６】  上述したように、支持脚部３の下部は、基台部２に設けられた横長の孔７に嵌合しているが、孔７を円形とし、その径を支持脚部３の下部の径とほぼ同一とすると、支持脚部３の下部は孔７にかたく嵌合し、支持脚部３と基台部２とはほぼ垂直となってしまう。そこで、孔７の径を支持脚部３の下部の径よりわずかに大きくすると、支持脚部３は孔７内をわずかに揺動可能であり、支持脚部３と基台部２とは垂直からずれるが、そのずれる量はわずかであり、基礎２０の大きな傾斜角に対応するには極めて不十分である。
【００１７】  そこで、孔７の径を更に大きくすると、止めツバ１１と孔７の周辺部との掛り面積が小さくなり、基台部２と支持脚部３とをぐらつくことなく安定して固定することができない。
本発明者の知見によると、孔７が円形の場合に、止めツバ１１と孔７の周辺部との掛り面積を確保しようとすると、角度αはせいぜい５°程度しか得ることはできず、５°を超える傾斜角度の基礎上に高さ調整支持金具を用いて床部材を支持することは困難であった。
【００１８】  これに対し、本実施形態に係る高さ調整支持金具１のように、孔７を横長の形状とすることにより、孔７に嵌合する支持脚部３の下部は、基礎２０の傾斜角度αに応じて傾斜した基台部２に対し、（９０−α）°となるように孔７の横長の方向に揺動し、支持脚部３に螺合したナット１２を絞めることにより、止めツバ１１と孔７の周辺部との十分な掛り面積をもって、基台部２と支持脚部３とを安定して固定することができる。
【００１９】  横長の孔７の形状は、特に限定されないが、例えば、楕円形、長円形等とすることができる。孔７の短径は、孔７に嵌合する支持脚部３の下部ボルト部９の径と同様又はそれよりも多少大きい径であることが望ましく、孔７の長径は、基礎２０の傾斜角度αに応じて支持脚部３が揺動する範囲を決定することから、基礎２０の最大傾斜角度α、例えば１０°を許容する、基台部２に対し０〜１０°の範囲を揺動するに十分な長さであることが望ましい。
【００２０】  基礎２０の最大傾斜角度１０°での使用を可能とするためには、孔７の短径と長径の比は、例えば、１：１．５〜１：２．５の範囲内であることが望ましい。短径と長径の比が１：１．５より小さいと、支持脚部３の揺動範囲が狭すぎて、基礎２０の最大傾斜角度１０°での使用が困難となる場合があり、１：２．５より大きいと、支持脚部３の揺動範囲が広すぎて、基台部２と支持脚部３とを安定して固定することが困難な場合がある。
なお、図３に示すように、孔７の短径とは、孔７に接し孔７を挟む２本の平行な直線の最も短い間隔を言い、孔７の長径とは、孔７に接し孔７を挟む２本の平行な直線の最も長い間隔を言う。
【００２１】  以上のように構成される高さ調整支持金具１は、床部材を傾斜した基礎の上に所定の高さで支持するための装置として、以下のように使用される。
まず、基礎２０の所定の位置に基台部２が置かれるように、高さ調整支持金具１を配置する。そして、支持脚部３のターンバックル胴部８を所定の方向に回転させて、下部ボルト部９及び上部ボルト部１０を緩めることにより、高さ調整支持脚部３の長さを伸ばし、床部材の大引１３の下面及び側面を床部材受部４が隙間なく支持するようにする。そして、支持脚部３のナット１２を絞めることにより、支持脚部３を基台部２に強く固定する。
【００２２】  この時、支持脚部３は垂直に立ち上がってはいるが、基台部２の横長の孔７内を相対的に搖動し、基台部２に対し所定の角度で固定される。即ち、基台部２は基礎２０の傾斜面に接しており、それと同一の傾斜角度となる。
このようにして、本実施形態に係る高さ調整支持金具１によると、例えば１０°という大きく傾斜した基礎上に、基礎と高さ調整支持金具１の下面との間に隙間を生ずることなく、床部材を所定の高さで安定して保持することが可能である。
【００２３】  なお、以上説明した実施形態では、支持脚部３をターンバックルにより伸縮させることにより長さを調整する方式を用いたが、本発明はこれに限らず、床部材の高さに応じてその長さを調整できるものであれば、どのような方式を用いてもよい。
また、以上の実施形態では、横長の孔７の形状を楕円形、長円形としてが、必ずしもこれに限定されず。例えば、長方形、長方形の短辺湾曲させたもの等であってもよい。
【符号の説明】
【００２４】  １…高さ調整支持金具
２…基台部２
３…高さ調整支持脚部
４…床部材受部
５…湾曲部
６…平板部
７…孔
８…ターンバックル胴部
９…下部ボルト部
１０…上部ボルト部
１１…止めツバ
１２…ナット
１３…大引
２０…基礎。
【図１】
2016142126.tif 000003
【図２】
2016142126.tif 000004
【図３】
2016142126.tif 000005